(57)【特許請求の範囲】
【請求項１】
インターネット接続ができる携帯情報端末であって、
紫外線強度を測定する紫外線強度測定部と、
現在位置を取得する位置情報取得部と、
前記インターネット接続により前記現在位置の日没時刻と時系列気象情報を取得する気象情報取得部と、
前記携帯情報端末の利用者から、該利用者が前記現在位置に滞在する滞在時間と該利用者が使用するＵＶケア製品のＳＰＦ値、および該利用者の肌の紫外線に対する強さを表す肌指数とを利用者情報として取得する利用者情報取得部と、
前記紫外線強度測定部により測定された紫外線強度に対応する指数を示す紫外線強度指数を所定の変換式により算出し、前記気象情報取得部により取得された時系列気象情報に対応する指数を示す気象指数を予め記憶した変換表から取得し、前記日没時刻と現在時刻と前記滞在時間とに基づいて日照時間を取得し、該紫外線強度指数、該気象指数、該日照時間、前記ＳＰＦ値、および前記肌指数を用いて
紫外線曝露量指数＝（紫外線強度指数×日照時間×気象指数）÷（ＳＰＦ値×肌指数）
を算出する紫外線曝露量指数算出部と、
前記算出した紫外線曝露量指数に対応する注意情報を予め記憶した記憶部から取り出し、該注意情報を表示する注意情報表示部と
を備えることを特徴とする携帯情報端末。
【請求項２】
インターネット接続ができる携帯情報端末の紫外線アラームプログラムであって、
前記携帯情報端末のコンピュータに、
紫外線強度を測定する紫外線強度測定手順と、
現在位置を取得する位置情報取得手順と、
前記インターネット接続により前記現在位置の日没時刻と時系列気象情報を取得する気象情報取得手順と、
前記携帯情報端末の利用者から、該利用者が前記現在位置に滞在する滞在時間と該利用者が使用するＵＶケア製品のＳＰＦ値、および該利用者の肌の紫外線に対する強さを表す肌指数とを利用者情報として取得する利用者情報取得手順と、
前記紫外線強度測定手順により測定された紫外線強度に対応する指数を示す紫外線強度指数を所定の変換式により算出し、前記気象情報取得手順により取得された時系列気象情報に対応する指数を示す気象指数を予め記憶した変換表から取得し、前記日没時刻と現在時刻と前記滞在時間とに基づいて日照時間を取得し、該紫外線強度指数、該気象指数、該日照時間、前記ＳＰＦ値、および前記肌指数を用いて
紫外線曝露量指数＝（紫外線強度指数×日照時間×気象指数）÷（ＳＰＦ値×肌指数）
を算出する紫外線曝露量指数算出手順と、
前記算出した紫外線曝露量指数に対応する注意情報を予め記憶した記憶部から取り出し、該注意情報を表示する注意情報表示手順と
を実行させる紫外線アラームプログラム。
【発明の詳細な説明】
【技術分野】
【０００１】
本発明は、紫外線の情報提供に関し、より詳細には携帯情報端末に搭載した紫外線強度測定手段で測定した紫外線強度に基づいて、利用者が現在時刻から曝露する紫外線量を求めてアラームを表示する携帯情報端末および紫外線アラームプログラムに関するものである。
【背景技術】
【０００２】
大気中のオゾン層破壊がテレビや新聞で報道されるようになって、紫外線に対する関心は高くなっている。当初はオゾン層破壊が地球環境問題として取り上げられたが、最近では紫外線を浴びることによる健康への影響に対して特に関心が高まっている。
【０００３】
紫外線は波長によりＵＶ−Ａ（３１５〜４００ｎｍ）、ＵＶ−Ｂ（２８０〜３１５ｎｍ）、ＵＶ−Ｃ（１００〜２８０ｎｍ）の３種類に分けられ、このうちＵＶ−Ｂは皮膚ガンの原因となることから有害紫外線と呼ばれている。ＵＶ−Ａは長時間曝露した場合には有害となるがＵＶ−Ｂ程ではなく、ＵＶ−Ｃは大気に吸収され地表に到達しないとされている。紫外線強度はＵＶインデックス（ＣＩＥ（Commission Internationale de l'Eclairage：国際照明委員会）が紅斑紫外線量から求めた指標）が国際的に用いられる指標として知られており、１（弱い）から１１＋（極端に強い）まで人体に対する影響の強さを示している。これは気象庁のＨＰ（ホームページ：http//www.jma.jp/jp/uv/）等で予測値が発表されており、これから紫外線強度を知ることができる。
【０００４】
また、紫外線強度を測定するUV（ultraviolet）測定器も製品化されている。これは例えばシリコンやＧａＮ（窒化ガリウム）等をＵＶセンサとして用いて紫外線強度を計測し、ＵＶインデックス値や直接強度値（単位：mW／m2）を計測、表示するものである。ＵＶセンサを情報端末機に搭載する提案もなされている（特許文献１）。この提案は、携帯電話に紫外線センサを備え、紫外線センサで感知した紫外線強度を携帯電話の利用者が理解できるように表示、あるいは音や光に変換して通知するものである。
【０００５】
また、紫外線を防ぐものとしてＵＶケア製品やＵＶカット繊維等が市販されている。ＵＶケア製品には紫外線を防ぐ指標としてＳＰＦ（Sun Protection Factor）値が示され、戸外に出るときはこれを露出する肌に塗ることも行われている。ＳＰＦは、人工太陽光の下で紫外線防護剤であるＵＶケア製品を塗った肌と塗らない肌に一定量の紫外線を照射し、僅か日焼けを起こした紫外線量のエネルギーをＭＥＤ（Minimum Erythema Dose：最小紅斑量）の状態を調べて次の式により求めるものである。
【０００６】
ＳＰＦ＝（紫外線防護剤塗布のＭＥＤ）／（紫外線防護剤未塗布のＭＥＤ）
日焼けにより肌が赤くなる紅斑は個人差があり、ＳＰＦの値は平均値（ＳＰＦを求めるとき、例えば１０人に紫外線防護剤を塗布しその平均をＳＰＦ値としている）であることを理解しておく必要がある。
【特許文献１】特開２００４−２３５２０号公報
【発明の開示】
【発明が解決しようとする課題】
【０００７】
上記に述べたように、紫外線に対する関心は高いものがあり、紫外線に関する情報や製品も豊富になって来た。
【０００８】
しかし、例えばインターネット等によりその地域の紫外線情報を入手できたとしてもそれらは一般的な情報であって、現在居る場所の情報ではなく正確性に欠ける嫌いがある。ＵＶ測定器や携帯電話に搭載したＵＶセンサによりその場所の紫外線強度を測定する方法を用いれば、紫外線強度は確かなものでありその点の問題は解消される。しかし、それは現在時刻における紫外線強度であり、現在時刻から数時間後までどの程度の紫外線量を浴びるかを予測し、講ずべき予防法を提供してくれるものではなかった。
【０００９】
本発明は、利用者位置する紫外線強度を基に利用者がそこに滞在する時間帯に浴びる紫外線量を算出して、紫外線に関する注意情報を利用者に提示することを目的とする。
【課題を解決するための手段】
【００１０】
本発明の携帯情報端末および紫外線アラームプログラムは以下のように構成される。
（１）第１の発明     
第１の発明の携帯情報端末は、紫外線強度を測定してその位置の気象情報と利用者の滞在時間から紫外線の曝露量を求めてアラームを表示するものである。
【００１１】
図１は第１の発明の携帯情報端末の原理を示したもので、携帯情報端末は紫外線強度測定手段１０、位置情報取得手段２０、気象情報取得手段３０、利用者情報取得手段４０、紫外線曝露量指数算出手段５０および注意情報表示手段６０から構成される。
【００１２】
紫外線強度測定手段１０は、紫外線強度を測定する手段である。例えば、シリコン等の半導体材料を用いたＵＶセンサにより紫外線強度を測定する。
【００１３】
位置情報取得手段２０は、携帯情報端末の現在位置、即ち携帯情報端末を操作する利用者の現在位置の情報を取得するものである。例えば、ＧＰＳ（Global Positioning System）の衛星からの電波を受信して現在位置を取得するようにしてもよいし、通信エリアの基地局から位置情報を取得するようにしてもよい。
【００１４】
気象情報取得手段３０は、位置情報取得手段２０で取得した現在位置に基づいてインターネット接続により気象情報を提供するサイトから現在位置の日没時刻と時系列気象情報を取得する。
【００１５】
利用者情報取得手段４０は、携帯情報端末の利用者が入力した現在位置に滞在する滞在時間を利用者情報として取得する。
【００１６】
紫外線曝露量指数算出手段５０は、紫外線強度測定手段１０により測定された紫外線強度と気象情報取得手段３０から取得した日没時刻と時系列気象情報と利用者情報取得手段４０で利用者が入力した滞在時間とから所定の計算式に基づいて紫外線曝露量指数を求める。
【００１７】
注意情報表示手段６０は、紫外線曝露量指数算出手段５０で求めた紫外線曝露量指数に対応する注意情報を予め記憶した注意情報記憶部から取り出し、その注意情報を携帯情報端末のディスプレイに表示する。
（２）第２の発明
第２の発明の携帯情報端末は、第１の発明における携帯情報端末の利用者情報取得手段が、滞在時間に加えて利用者が使用するＵＶケア製品のＳＰＦ値を取得するものである。
【００１８】
市販されているＵＶケア製品にはＳＰＦ値が表示されているので、その値を利用者に入力して貰い、そのＳＰＦ値を取得する。紫外線曝露量指数算出手段５０では紫外線強度と滞在時間、ＳＰＦ値、日没時刻および時系列気象情報とに基づいて紫外線曝露量指数が算出されることになる。
（３）第３の発明
第３の発明の携帯情報端末は、第１または第２の発明における携帯情報端末の利用者情報取得手段が、滞在時間とＳＰＦ値に加えて利用者の肌の強さを取得する、ものである。
【００１９】
肌の強さは個人差が大きいので、紫外線曝露量指数をより利用者に合わせるものである。例えば、肌の強さは平均的な人と較べて「強い」、「ふつう」、「弱い」の３段階の中から選んで入力してもらう。紫外線曝露量指数算出手段５０では紫外線強度と滞在時間、ＳＰＦ値、肌の強さ、日没時刻および時系列気象情報とに基づいて紫外線曝露量指数が算出されることになる。
（４）第４の発明
第４の発明は紫外線アラームプログラムの発明で、第１の発明の携帯情報端末の各構成要素の手段をプログラムの手順で示したものであり、第１の発明と同一の作用を成す。
（５）第５の発明
第５の発明は紫外線アラームプログラムの発明で、第２の発明の携帯情報端末の構成要素の手段をプログラムの手順で示したものであり、第２の発明と同一の作用を成す。
【発明の効果】
【００２０】
上述のように本発明によれば、次に示す効果が得られる。
【００２１】
第１の発明により、利用者が現在地に滞在する間の紫外線を浴びる量を予測し、対応する予防のメッセージを表示してくれるので、的確な紫外線に対する予防を可能とする携帯情報端末の提供ができる。
【００２２】
第２の発明により、利用者が使用しているＵＶケア製品に合わせて予防のメッセージを表示してくれるので、より的確な紫外線に対する予防を可能とする携帯情報端末の提供ができる。
【００２３】
第３の発明により、利用者の肌の強さに合わせて紫外線曝露量を予測し、それに合わせて予防のメッセージを表示してくれるので、個人差を少なくした情報の提供ができる。
【００２４】
第４の発明により、第１の発明と同様の効果を呈する紫外線アラームプログラムの提供ができる。
【００２５】
第５の発明により、第２の発明と同様の効果を呈する紫外線アラームプログラムの提供ができる。
【発明を実施するための最良の形態】
【００２６】
携帯情報端末の実施形態を、図２から図７を用いて説明する。ここでは、携帯情報端末として携帯電話の例で説明するが、ＰＨＳ（Personal Handyphone System）やＰＤＡ（Personal Digital Assistant）、あるいはモバイルＰＣ（Personal Computer）であってもよい。
【００２７】
図２は本発明の概念を示すもので、図中の携帯電話１００はＵＶセンサ１０１を搭載しており、ＧＰＳ受信装置を内蔵し、インターネットとの接続を可能とするものである。利用者の操作により紫外線アラームプログラムが起動すると、まず携帯電話１００の利用者１４０に現在地に滞在する時間の入力を求め、この情報を取得する。利用者から入力された情報の取得した後に、ＵＶセンサ１０１が太陽光１１０からの紫外線の強度を測定し、続いてＧＰＳの受信装置が作動しＧＰＳの衛星１２０からの電波を受信し現在位置を求める。そしてインターネット１３０を介して気象情報提供のサイト（図示せず）にアクセスして、ＧＰＳで求めた現在位置の日没時刻と時系列気象情報とを取得する。
【００２８】
携帯電話１００は、以上で求めた紫外線強度、日没時刻、時系列気象情報、滞在時間を基に紫外線曝露量指数を求めて、これに対応する紫外線注意情報を携帯電話１００の表示部４００に表示する。
【００２９】
図２に示した携帯電話１００の構成は、図３に示される。携帯電話１００は、全体を制御する制御部２００、利用者がプログラムの起動を指示したり利用者情報を入力する数字キーやファンクションキーからなる操作部３００、利用者に対する入力指示や紫外線注意情報を表示する表示部４００、ＧＰＳシステムの衛星１２０からの電波を受信し現在位置を求めるＧＰＳ受信部６００、インターネットを介して気象情報を提供するサイトにアクセスし時系列気象情報等を取得するための通信部６００、シリコン等の半導体材料で構成し紫外線強度を測定するＵＶセンサ７００、取得した気象情報やＳＰＦ値から紫外線曝露量指数を計算する際に用いる指数テーブル８００、紫外線曝露量指数に対応した紫外線注情報のアラームメッセージを格納したメッセージ記憶部８１０、および紫外線アラームプログラム１０００を実行するＲＡＭ（Random Access Memory）９００から構成する。図３は、本発明に必要な構成要素のみを示しており、携帯電話が一般的に備える通話やメール等に必要な構成要素は示していない。
【００３０】
指数テーブル８００の例を図４に示す。図４（ａ）は天気に対する指数テーブルを示し、例えば「晴れ」の場合は指数を「１」とし、「曇り」の場合は指数を「２」とするものである。
【００３１】
図４（ｂ）は降水確率に対する指数テーブルを示し、例えば降水確率が「０％−１０％」の場合は降水確率の指数を「１」とし、降水確率が「２０％−３０％」の場合は指数を「２」とする。降水確率の１％台の値は四捨五入している。
【００３２】
図４（ｃ）は利用者から入力されたＵＶケア製品のＳＰＦ値に対する指数テーブルを示し、例えばＳＰＦ値が「ＳＰＦ１０」の場合は指数を「１０」とし、ＳＰＦ値が「ＳＰＦ２０」の場合は指数を「２０」とするものである。ＵＶケア製品を使用しない場合は指数を「１」としている。
【００３３】
図４（ｄ）は利用者の肌の紫外線に対する指数のテーブルで、例えば紫外線に「強い」肌の場合は指数を「１．２」、「ふつう」の場合は「１」としている。
【００３４】
メッセージ記憶部８１０のメッセージデータの例を図５に示す。後述する紫外線曝露量指数が求まると、その指数に対応するメッセージをこのメッセージ記憶部８１０から求めて携帯電話１００の表示部４００に表示する。
【００３５】
次に、紫外線アラームプログラム１０００について説明する。紫外線アラームプログラム１０００は、利用者情報取得部１０１０、紫外線強度測定部１０２０、位置情報取得部１０３０、気象情報取得部１０４０、紫外線曝露量指数算出部１０５０および紫外線注情報表示部１０６０からなる。
【００３６】
それぞれのプログラムの概略を説明する。利用者情報取得部１０１０は、紫外線アラームプログラム１０００の起動によって最初に実行され、携帯電話１００の利用者に対して現在地における滞在を予定している時間（滞在時間）、使用しているＵＶケア製品のＳＰＦ値および肌の強さの情報を入力させ、その情報を取得する。
【００３７】
紫外線強度測定部１０２０は、制御部２００を介してＵＶセンサ７００により紫外線強度を測定し、測定した紫外線強度を取得する。
【００３８】
位置情報取得部１０３０は、制御部２００を介してＧＰＳ受信部５００を作動し、ＧＰＳの衛星１２０から電波を受信し、現在位置の緯度と経度を求める。
【００３９】
気象情報取得部１０４０は、通信部６００を介してインターネットと接続し、気象情報を提供するサイトにアクセスし、先に取得した位置情報をそのサイトに送信し、送信した位置の日没時刻と時系列気象情報を受信する。時系列気象情報は例えば図６に示すように、現在時刻から一時間毎の天気と降水確率の情報を示すものである。
【００４０】
紫外線曝露量指数算出部１０５０は、これまで取得した情報を基に紫外線曝露量指数を算出する。紫外線曝露量指数は、例えば次の式で求める。
【００４１】
紫外線曝露量指数＝（紫外線強度指数×日照時間×気象指数）÷（ＳＰＦ指数×肌指数）
ここで、紫外線強度指数：ＵＶセンサ計測値［ｍＷ／ｍ２］／２５
日照時間：現在時刻−日没時刻の１Ｈ前時刻
気象指数：日照時間内の天気指数×降水確率指数の平均
（天気指数×降水確率指数は指数テーブルで定めた値）
ＳＰＦ指数：指数テーブルで定めた値
紫外線注情報表示部１０６０は、紫外線曝露量指数算出部１０５０で求めた紫外線曝露量指数を基にメッセージ記憶部８１０からメッセージを抽出し、表示部４００に表示する。
【００４２】
次に、処理フローについて図７を用いて説明する。図７において、利用者の操作により紫外線アラームプログラム１０００の起動がなされと、まず利用者に現在地点に滞在する予定時間（滞在時間）、利用者が使用しているＵＶケア製品のＳＰＦ値および利用者の肌の強さの入力を求める。滞在時間は例えば現在時刻が午前９時であり、午後２時まで居る予定であれば５時間と入力され、ＵＶケア製品がＳＰＦ１０のものであれば「１０」が入力される。ＵＶケア製品を使用していなければ、「０」が入力される。また、肌の強さは「強い」、「ふつう」、「弱い」を表示して、その中から選択させる（Ｓ１００）。
【００４３】
利用者情報を取得した後に紫外線強度を測定する旨を表示し、ＵＶセンサ７００を作動して紫外線強度を測定する。利用者を携帯電話１００のＵＶセンサ７００を所定時間（例えば、１０秒程度）太陽に向けることにより、紫外線強度は測定される（Ｓ１１０）。
【００４４】
続いて、ＧＰＳ受信部５００を作動してＧＰＳ衛星１２０からの電波を受信し、受信した電波に基づいて現在位置を求める。次に、通信部６００を介してインターネット上の気象情報提供サイトにアクセスし、求めた現在位置を送信してこの現在位置に対する日没時刻と時系列の気象情報（天気情報と降水確率情報）を受信する（Ｓ１２０、Ｓ１３０）。
【００４５】
Ｓ１００〜Ｓ１３０の入力により必要な情報は揃い、これらの情報と指数テーブル８００とから紫外線曝露量指数を求める。紫外線曝露量指数を求めるために、まず紫外線強度指数、日照時間、気象指数、肌指数を求める。
【００４６】
取得した情報が、例えば現在時刻午前９時、滞在時間３時間、日没時刻１８時、ＳＰＦ値１０、肌の強さ「弱い」、紫外線強度３００mW/m2、時系列気象情報が図６であるものとする。
【００４７】
日照時間は、滞在を切り上げる時刻（現在時刻９時＋滞在時間３時の１２時となる）が日没前であるので滞在時間と等しく３時間。
【００４８】
紫外線強度指数は、前述の定義より１２（３００／２５）となる。
【００４９】
気象指数は、各滞在時刻における「天気指数×降水指数」の平均値であるとする。図６の時系列気象情報と指数テーブル８００とから、９時から１２時まで気象指数は１．４（(0.5×1＋1×1＋1×2＋1×2）÷4）となる。
【００５０】
肌指数は、指数テーブル８００から「０．８」となる。
【００５１】
以上から、前述の式にこれらの数値をあてはめて紫外線曝露量指数は６．３となる（Ｓ１４０）。
【００５２】
紫外線曝露量指数６．３を四捨五入して「６」とし、アラームメッセージ記憶部８１０から対応するメッセージを求め、紫外線注意情報として表示する（Ｓ１５０）。
【００５３】
図２の下方に示す表示例はその例である。図２では、メッセージの他に取得した紫外線強度や現在位置等の情報も併せて表示している。
【００５４】
メッセージおよび紫外線強度や現在位置等の情報は携帯電話１００が備えるスピーカを介して、音声で利用者に通知するようにしてもよい。
【００５５】
上記の実施例に関し、さらに以下の付記を開示する。
（付記１）
インターネット接続ができる携帯情報端末であって、
紫外線強度を測定する紫外線強度測定手段と、
現在位置を取得する位置情報取得手段と、
前記インターネット接続により前記現在位置の日没時刻と時系列気象情報を取得する気象情報取得手段と、
前記携帯情報端末の利用者から、該利用者が前記現在位置に滞在する滞在時間を利用者情報として取得する利用者情報取得手段と、
前記紫外線強度測定部により測定された紫外線強度と前記日没時刻と前記時系列気象情報と前記利用者情報とから所定の計算式に基づいて紫外線曝露量指数を求める紫外線曝露量指数算出手段と、
求めた紫外線曝露量指数に対応する注意情報を予め記憶した記憶部から取り出し、該注意情報を表示する注意情報表示手段と
を備えることを特徴とする携帯情報端末。
（付記２）
前記利用者情報取得手段は、
前記携帯情報端末の利用者から、前記滞在時間に加えて該利用者が使用するＵＶケア製品のＳＰＦ値を取得する
ことを特徴とする付記１に記載の携帯情報端末。
（付記３）
前記利用者情報取得手段は、
前記携帯情報端末の利用者から、前記滞在時間と前記ＳＰＦ値に加えて該利用者の肌の紫外線に対する強さを取得する
ことを特徴とする付記１または付記２に記載の携帯情報端末。
（付記４）
インターネット接続ができる携帯情報端末の紫外線アラームプログラムであって、
前記携帯情報端末のコンピュータに、
紫外線強度を測定する紫外線強度測定手順と、
現在位置を取得する位置情報取得手順と、
前記インターネット接続により前記現在位置の日没時刻と時系列気象情報を取得する気象情報取得手順と、
前記携帯情報端末の利用者から、該利用者が前記現在位置に滞在する滞在時間を利用者情報として取得する利用者情報取得手順と、
前記紫外線強度測定部により測定された紫外線強度と前記日没時刻と前記時系列気象情報と前記利用者情報とから所定の計算式に基づいて紫外線曝露量指数を求める紫外線曝露量指数算出手順と、
求めた紫外線曝露量指数に対応する注意情報を予め記憶した記憶部から取り出し、該注意情報を表示する注意情報表示手順と
を実行させる紫外線アラームプログラム。
（付記５）
前記利用者情報取得手順は、
前記携帯情報端末の利用者から、前記滞在時間に加えて該利用者が使用するＵＶケア製品のＳＰＦ値を取得する
ことを特徴とする付記４に記載の紫外線アラームプログラム。
（付記６）
前記携帯情報端末は、さらに
前記注意情報を音声により通知する注意情報音声通知手順と
を備えることを特徴とする付記１記載の携帯情報端末。
（付記７）
前記注意情報表示手段は、前記注意情報に加えて取得した紫外線強度、現在位置、日没時間および時系列気象情報を表示する
ことを特徴とする付記１記載の携帯情報端末。
【図面の簡単な説明】
【００５６】
【図１】本発明の原理図である。
【図２】本発明の概念図例である。
【図３】携帯情報端末の構成例例である。
【図４】指数テーブルのデータ例である。
【図５】紫外線注意情報のメッセージ例である。
【図６】時系列気象情報のデータ例である。
【図７】紫外線アラームプログラムの処理フロー例である。
【符号の説明】
【００５７】
１０    紫外線強度測定手段
２０    位置情報取得手段
３０    気象情報取得手段
４０    利用者情報取得手段
５０    紫外線曝露量指数算出手段
６０    注意情報表示手段
１００  携帯電話
２００  制御部
３００  操作部
４００  表示部
５００  ＧＰＳ受信部
６００  通信部
７００  ＵＶセンサ部
８００  指数テーブル
８１０  アラームメッセージ記憶部
９００  ＲＡＭ（ランダムアクセスメモリ）
１０００  紫外線アラームプログラム
１０１０  紫外線強度測定部
１０２０  位置情報取得部
１０３０  気象情報取得部
１０４０  利用者情報取得部
１０５０  紫外線曝露量指数算出部
１０６０  紫外線注意情報表示部
【図１】
0004952423.tif 000002
【図２】
0004952423.tif 000003
【図３】
0004952423.tif 000004
【図４】
0004952423.tif 000005
【図５】
0004952423.tif 000006
【図６】
0004952423.tif 000007
【図７】
0004952423.tif 000008